(57)【要約】      （修正有）【課題】使用が簡単で、わかり易く、使い方を学び易いという長所を具える絵を描く時の補助とする測量器具を提供する。【解決手段】フレーム体１０１、2本の固定標準線１０３ａ、１０３ｂ、第一可動標準線１０５ａ、第二可動標準線１０５ｂを含む。フレーム体は四角形かつ中空の構造で、フレーム体の四辺１０１ａ、１０１ｂ、１０１ｃ、１０１ｄの表面にはそれぞれ4個の目盛り１０１ｅを形成する。該目盛りは周辺の中央位置を原点とし、それぞれ原点から両側に向かい等距の単位で複数の数値を刻む。各固定標準線の両末端はそれぞれ相互に対立する周辺の原点上に固定接続し、各可動標準線の両末端はそれぞれ四辺の内の一対の相互に対立する2個の周辺に可動接続設置する。しかもそれぞれは原点両側に接続設置する。【選択図】図１
0003109763.tif 000002
【実用新案登録請求の範囲】
【請求項１】
絵を描く時の補助とする測量器具で、フレーム体、固定標準線、第一可動標準線、第二可動標準線を含み、
該フレーム体は四角形かつ中空の構造で、該フレーム体の四辺の表面にはそれぞれ4個目盛りを形成し、かつ該目盛りは該周辺の中央位置を原点とし、それぞれ該原点から両側に向かい等距離単位で複数の数値を刻み、
該2本の固定標準線の両末端はそれぞれ相互に対立する該周辺の原点上に固定接続し、該第一可動標準線と該第二可動標準線の両末端はそれぞれ該四辺中の一対の相互に対立する2個の周辺に可動接続設置し、かつそれぞれ該原点両側に接続設置することを特徴とする絵を描く時の補助とする測量器具。
【請求項２】
前記フレーム体は正方形かつ中空の構造であるフレーム体であることを特徴とする請求項１記載の絵を描く時の補助とする測量器具。
【請求項３】
前記目盛りの数値単位はｃｍを単位とすることを特徴とする請求項１記載の絵を描く時の補助とする測量器具。
【請求項４】
前記目盛りの原点は0とすることを特徴とする請求項１記載の絵を描く時の補助とする測量器具。
【請求項５】
前記第一可動標準線と前記第二可動標準線はそれぞれ等距離で原点より同時に前記2本の可動標準線を移動させることを特徴とする請求項１記載の絵を描く時の補助とする測量器具。
【請求項６】
前記フレーム体の材質は透明材質であることを特徴とする請求項１記載の絵を描く時の補助とする測量器具。
【請求項７】
前記フレーム体の2個の対立する周辺にはそれぞれ数値方向に沿った棒状溝を設置し、該棒状溝は前記可動標準線の末端に可動接続設置することを特徴とする請求項１記載の絵を描く時の補助とする測量器具。
【考案の詳細な説明】
【技術分野】
【０００１】
本考案は一種の絵を描く時の補助とする測量器具に関する。
【背景技術】
【０００２】
絵を描こうとする者は絵のモデルである実物の形体を精確に描き出そうとし、物差しなどを利用し物体を測定しようとする。使用される公知の物差しは使用の利便性が高いが、正確な使い方を練習しなければならず、分かり難く使い方を学び難いという欠点があった。そのため、現在では多くの学生達は物差しを使用しなくなっており、絵を描く時には絵のモデルである実物の測定を怠るようになっている。
【特許文献１】特開８−１１２９９７号公報
【考案の開示】
【考案が解決しようとする課題】
【０００３】
本考案は使用が簡単で、わかり易く、使い方を学び易いという長所を具える絵を描く時の補助とする測量器具を提供するものである。
【課題を解決するための手段】
【０００４】
上記課題を解決するため、本考案は下記の絵を描く時の補助とする測量器具を提供する。
それは主にフレーム体、2本の固定標準線、第一可動標準線、第二可動標準線を含み、
該フレーム体は四角形かつ中空で、かつ該フレーム体の四辺の表面にはそれぞれ4個の目盛りを形成し、かつ該目盛りは周辺の中央位置を原点とし、それぞれ原点より両側に向かい等間隔で複数の数値を刻み、
該該各固定標準線の両末端はそれぞれ相互に対立する該周辺の原点上に固定接続し、該第一可動標準線と該第二可動標準線の両末端はそれぞれ四辺中の一対の相互に対立する2個の周辺に可動接続設置し、かつそれぞれ原点両側に接続設置することを特徴とする絵を描く時の補助とする測量器具である。
すなわち、本考案の絵を描く時の補助とする測量器具は、請求項１に記載するように、
絵を描く時の補助とする測量器具で、フレーム体、固定標準線、第一可動標準線、第二可動標準線を含み、
該フレーム体は四角形かつ中空の構造で、該フレーム体の四辺の表面にはそれぞれ4個目盛りを形成し、かつ該目盛りは該周辺の中央位置を原点とし、それぞれ該原点から両側に向かい等距離単位で複数の数値を刻み、
該2本の固定標準線の両末端はそれぞれ相互に対立する該周辺の原点上に固定接続し、該第一可動標準線と該第二可動標準線の両末端はそれぞれ該四辺中の一対の相互に対立する2個の周辺に可動接続設置し、かつそれぞれ該原点両側に接続設置することを特徴とする。
前記フレーム体は、請求項２に記載するように、正方形かつ中空の構造であるフレーム体であることを特徴とする。
前記目盛りの数値単位は、請求項３に記載するように、ｃｍを単位とすることを特徴とする。
前記目盛りの原点は請求項４に記載するように、0とすることを特徴とする。
請求項５に記載するように、前記第一可動標準線と前記第二可動標準線はそれぞれ等距離で原点より同時に前記2本の可動標準線を移動させることを特徴とする。
前記フレーム体の材質は請求項６に記載するように、透明材質であることを特徴とする。
請求項７に記載するように、前記フレーム体の2個の対立する周辺にはそれぞれ数値方向に沿った棒状溝を設置し、該棒状溝は前記可動標準線の末端に可動接続設置することを特徴とする。
【考案の効果】
【０００５】
上記のように、本考案は本考案の測量器具は製造コストが低廉で、かつ絵を描こうとする者に莫大な利益をもたらし、絵を描こうとする者にとっては経済的かつ実用的な道具である。さらに本考案は各種異なる大きさに製造可能であるため、各種絵のモデルである実物に適用可能で、非常に実用性が高い。
【考案を実施するための最良の形態】
【０００６】
本考案測量器具10の主な機能は絵を描く時の補助工具である。絵を描こうとする者は手で該測量器具10を持ち、絵のモデルである実物に対峙し、該測量器具10の可動標準線を操作する。こうして、該絵のモデルである実物の左側辺、右側辺を完全に枠の中に入れ、かつ該可動標準線に合わせる。同時に該絵のモデルである実物の上側辺、下側辺も完全に枠の中に入れ、かつ該測量器具10の上周辺と下周辺にあわせる。この時、絵を描こうとする者は該測量器具10の数値を読み取り、こうして絵のモデルである実物の高さと幅の比率を得、また絵のモデルである実物の中心点位置を知ることができる。
【０００７】
次に図１に示すように、本考案の測量器具10は主にフレーム体101、2本の固定標準線103a、103b、第一可動標準線105a、第二可動標準線105bを含む。
該フレーム体101は四角形かつ中空の構造で、該フレーム体101の四辺101a、101b、101c、101dの表面はそれぞれ4個の目盛り101eを形成する。該些目盛り101eは該周辺101a、101b、101c、101dの中央位置を原点(「0」標示を参照)とし、それぞれ原点に向かい両側は等単位で複数の数値に分割される。数値の単位はメートル法、インチ法などを採用し、かつ数値間は等距離とする。本考案の測量器具10はメートル法を採用し、範例として説明する。各数値間隔は1cmの等距離で、1cmの間にはさらに細かく小さい単位の数値線を刻む。
該固定標準線103aの両末端は相互に対立する該周辺101a、101cの原点上に固定接続し、該固定標準線103bの両末端は相互に対立する該周辺101b、101dの原点上に固定接続する。該固定標準線103aと該固定標準線103bは相互に交差し十字形を呈し、該十字形の交差点は該絵のモデルである実物の中心点位置として用いることができる。
該第一可動標準線105aの両末端はそれぞれ該周辺101a、101cの原点右側に可動接続設置し、該第二可動標準線105bの両末端はそれぞれ該周辺101a、101cの原点左側に可動接続設置される。該第一可動標準線105aと該第二可動標準線105bは共に、数値方向に沿って標準線位置に移動する。該第一可動標準線105aと該第二可動標準線105bがスムーズに移動できるよう、該周辺101a、101cの原点左側と右側にはそれぞれ数値方向に沿って複数の棒状溝101fを設置する。該棒状溝101fは該可動標準線105a、105bの末端に可動接続設置する。
該フレーム体101の材質は透明アクリル材質などの透明材質を採用可能で、該固定標準線103a、103bは細金属線、ナイロン線などを採用可能である。移動位置の操作の利便性のために、該可動標準線105a、105bは細金属線、或いはいは他の硬質細線を採用する。
さらに本考案の測量器具10は異なる長さ測量器具10とすることができ、異なる大きさの絵のモデルである実物に対して使用の利便性を発揮する。
以上は本発明の最適実施例を述べたまでで、本発明を利用する上記の方法、形状、構造、装置のすべての変化は本発明の権利範囲に含まれるものとする。
【０００８】
次に図２に示すように、本考案測量器具10の操作使用方法は以下の通りである。
1.  絵を描こうとする者は片手或いは両手で適当な大きさの測量器具10を持ち、それを目の前の適当な距離に置き、かつ絵のモデルである実物20を四辺101a、101b、101c、101dの中に入れる。
2.  眼前の測量器具10の位置を微調整しながら、同時に等距離方式で該第一可動標準線105a、該第二可動標準線105bを微調整する。こうして、該絵のモデルである実物の上、下、右、左四辺それぞれを該周辺101a、該周辺101c、該第一可動標準線105a、該第二可動標準線105bに合わせる。
3.  該第一可動標準線105a、該第二可動標準線105b位置の数値、及び該測量器具10の上方、下方の周辺101a、101bの間の合計の長さに基づき、該絵のモデルである実物20の高さと幅の比率、及び該絵のモデルである実物20の中心点位置を得る。
【図面の簡単な説明】
【０００９】
【図１】本考案絵を描く時の補助とする測量器具の構造図である。
【図２】本考案測量器具を絵のモデルである実物に使用する操作指示図である。
【符号の説明】
【００１０】
10  測量器具
20  絵のモデルである実物
101  フレーム体
101a、101b、101c、101d  周辺
101e  目盛り
101f  棒状溝
103a、103b  固定標準線
105a  第一可動標準線
105b  第二可動標準線
【図１】
0003109763.tif 000003
【図２】
0003109763.tif 000004